【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
ワイヤレスネットワークにおいてレーダー検出を管理するための方法であって、
前記ワイヤレスネットワークにおいて他の装置と通信するように構成され、周波数分割複信モードで動作する第1の装置に、レーダー送信の検出に先立って、ダウンリンク周波数帯域のフレームのいくつかのサブフレームの間に送信するのを控えさせるステップと、
前記第1の装置に、前記レーダー送信を監視することに関する第1の信号を、前記ダウンリンク周波数帯域の前記フレームの前記いくつかのサブフレームの間に前記レーダー送信を監視するように構成された第2の装置に送らせるステップと、
前記第1の装置に、前記第2の装置から前記レーダー送信の前記検出に関する第2の信号を受信させるステップと、
前記第1の装置に、事象に応じて前記送信を控える間に、前記ダウンリンク周波数帯域の前記フレームの前記サブフレームの数を変更させるステップであって、
前記事象が、前記第1の装置の負荷の変更、または前記第2の信号の受信のうちの1つまたは複数である、ステップと
を含む、方法。
【請求項２】
前記第1の装置が、アクセスポイント、ノードB、発展型ノードB、無線ネットワークコントローラ、基地局、無線基地局、基地局コントローラ、送受信機基地局、送受信機機能、無線送受信機、無線ルータ、基本サービスセット、拡張サービスセット、マクロセル、マクロノード、ホームeNB、フェムトセル、フェムトノード、ピコノード、リレーノード、またはそれらの組合せのうちの少なくとも1つの機能を実行するように構成される、請求項1に記載の方法。
【請求項３】
前記第1の信号の構成が無線リソース制御プロトコルに従う、請求項1に記載の方法。
【請求項４】
前記ダウンリンク周波数帯域の前記フレーム内の前記サブフレームの配置が、ロングタームエボリューション時分割複信規格の第1の構成に従って構成されたフレーム内のアップリンク通信用に指定されたサブフレームの配置に対応し、前記第1の装置に前記ダウンリンク周波数帯域の前記フレームの前記サブフレームの数を変更させる前記ステップが、前記第1の装置に、前記ロングタームエボリューション時分割複信規格の第2の構成に従って構成されたフレーム内のアップリンク通信用に指定されたサブフレームの配置に対応するように、前記ダウンリンク周波数帯域の前記フレーム内の前記サブフレームの前記配置を変更させるステップを含む、請求項1に記載の方法。
【請求項５】
前記第1の装置に前記第1の装置の前記負荷の増大を判定させるステップをさらに含み、前記事象が前記負荷の前記増大であり、前記第1の装置に前記サブフレームの数を変更させる前記ステップが、前記第1の装置に、前記送信を控える間に前記サブフレームの数を低減させるステップである、請求項1に記載の方法。
【請求項６】
前記第1の装置に前記サブフレームの数を低減させる前記ステップが、前記第1の装置に前記サブフレームの数をゼロに低減させるステップである、請求項5に記載の方法。
【請求項７】
前記第1の装置に前記第1の装置の前記負荷の低減を判定させるステップをさらに含み、前記事象が前記負荷の前記低減であり、前記第1の装置に前記サブフレームの数を変更させる前記ステップが、前記第1の装置に、前記送信を控える間に前記サブフレームの数を増大させるステップである、請求項1に記載の方法。
【請求項８】
前記第1の装置に前記サブフレームの数を変更させる前記ステップが、前記第1の装置に、前記送信を控える間に前記サブフレームの数を増大させるステップである、請求項7に記載の方法。
【請求項９】
前記第1の装置に前記第1の信号を前記第2の装置に送らせる前記ステップが、前記サブフレームの数がしきい値未満であることに応じて行われる、請求項1に記載の方法。
【請求項１０】
前記ダウンリンク周波数帯域の前記フレーム内の前記サブフレームの配置が、マルチメディアブロードキャストマルチキャストサービス仕様による送信用に指定されたサブフレームの配置に対応する、請求項1に記載の方法。
【請求項１１】
前記第2の装置が少なくとも1つのアクセス端末であり、前記第1の信号が、前記少なくとも1つのアクセス端末に前記レーダー送信を監視させるように構成され、または
前記第2の装置が、アクセスポイント、ノードB、発展型ノードB、無線ネットワークコントローラ、基地局、無線基地局、基地局コントローラ、送受信機基地局、送受信機機能、無線送受信機、無線ルータ、基本サービスセット、拡張サービスセット、マクロセル、マクロノード、ホームeNB、フェムトセル、フェムトノード、ピコノード、リレーノード、またはそれらの組合せのうちの少なくとも1つの機能を実行するように構成され、前記第1の信号が、前記第2の装置が前記レーダー送信を検出することに応じて、第2の信号を前記第1の装置に送ることを前記第2の装置に要求するように構成される、
請求項1に記載の方法。
【請求項１２】
ワイヤレスネットワークにおいてレーダー検出を管理するための第1の装置であって、
前記ワイヤレスネットワークにおいて他の装置と通信するように構成され、周波数分割複信モードで動作する前記第1の装置に、レーダー送信の検出に先立って、ダウンリンク周波数帯域のフレームのいくつかのサブフレームの間に送信するのを控えさせるための手段と、
前記第1の装置に、前記レーダー送信を監視することに関する第1の信号を、前記ダウンリンク周波数帯域のフレームの前記いくつかのサブフレームの間に前記レーダー送信を監視するように構成された第2の装置に送らせるための手段と、
前記第1の装置に、前記第2の装置から前記レーダー送信の前記検出に関する第2の信号を受信させるための手段と、
前記第1の装置に、事象に応じて前記送信を控える間に、前記ダウンリン
ク周波数帯域の前記フレームの前記サブフレームの数を変更させるための手段であって、
前記事象が、前記第1の装置の負荷の変更、または前記第2の信号の受信のうちの1つまたは複数である、変更させるための手段と
を含む、第1の装置。
【請求項１３】
前記送信を控える間に前記サブフレームの数が、前記第1の装置の前記負荷の増大に応じて、低減されるか、または前記第1の装置の前記負荷の低減に応じて増大される、請求項12に記載の第1の装置。
【請求項１４】
前記第1の装置に前記第2の装置から第2の信号を受信させるための手段であって、前記第2の信号が前記レーダー送信の前記検出に関する、受信させるための手段をさらに含み、前記事象が前記第2の信号の受信であり、前記送信を控える間に前記サブフレームの数が、前記第2の信号の前記受信に応じて増大される、請求項12に記載の第1の装置。
【請求項１５】
ワイヤレスネットワークにおいてレーダー送信を検出するためのコンピュータ可読記録媒体であって、
前記ワイヤレスネットワークにおいて他の装置と通信するように構成され、周波数分割複信モードで動作する第1の装置に、レーダー送信の検出に先立って、ダウンリンク周波数帯域のフレームのいくつかのサブフレームの間に送信するのを控えさせるための少なくとも1つの命令と、
前記第1の装置に、前記レーダー送信を監視することに関する第1の信号を、前記ダウンリンク周波数帯域の前記フレームの前記いくつかのサブフレームの間に前記レーダー送信を監視するように構成された第2の装置に送らせるための少なくとも1つの命令と、
前記第1の装置に、前記第2の装置から前記レーダー送信の前記検出に関する第2の信号を受信させるための少なくとも1つの命令と、
前記第1の装置に、事象に応じて前記送信を控える間に、前記ダウンリン
ク周波数帯域の前記フレームの前記サブフレームの数を変更させるための少なくとも1つの命令であって、前記事象が、前記第1の装置の負荷の変更、または前記第2の信号の受信のうちの1つまたは複数である、変更させるための少なくとも1つの命令と
を含む、コンピュータ可読記録媒体。